(57)【要約】【課題】光学記録媒体の再生又は記録方法を提供する。【解決手段】本発明は、光学記録媒体の異常領域を解析する方法に関する。その方法は、  異常領域を検出し（２１）；  異常領域の型を決定し（２３、３１）；及び  異常領域の長さを測定する（２４、３２）という工程を含む。光学記録媒体から読み取る及び／又はそこに書き込むための装置に挿入された光学記録媒体の再生又は記録の前に、その装置が光学記録媒体上の異常領域の位置、長さ及び型を決定する（２１、２３、２４、３１、３２）。その後得られた情報は、例えば、再生又は記録の間に、読み取り及び／又は記録のためのピックアップが不意に異常領域に出合うことを回避するために使用される。これにより、その装置の動作がさらに信頼性のあるものとなる。【選択図】図３
2007518207.tif 000002
【特許請求の範囲】
【請求項１】
異常領域を検出し（２１）；
前記異常領域の型を決定し（２３、３１）；及び
前記異常領域の長さを測定する（２４、３２）工程を含む方法において、
前記異常領域の型を決定する工程（２３、３１）が、
前記異常領域全体にわたり速度制御されたジャンプ（２２）を行うこと；
前記速度制御されたジャンプ（２２）の間に異常領域の型に関する情報を得ることを含むことを特徴とする光学記録媒体上の前記異常領域を解析する方法。
【請求項２】
前記異常領域の型を決定する工程（２３、３１）が、
得られた情報に基づき異常領域の第１のグループの型と第２のグループの型を区別すること（２３）をさらに含むことを特徴とする請求項１に記載の方法。
【請求項３】
前記速度制御されたジャンプ（２２）の間に異常領域の型に関する情報を得る工程が、前記光学記録媒体から得られるデータ信号（ＨＦ）及び／又はトラック横断信号（ＴＣ）を判定することを含むことを特徴とする請求項１に記載の方法。
【請求項４】
前記異常領域の長さを測定する工程（２４、３２）が、
前記異常領域全体にわたりジャンプする（２２）のに必要な時間を測定する（２４４）；及び
前記異常領域全体にわたるジャンプ（２２）の間に、位相ロックループにより発せられるパルスの数を計算する（３２４）うちの１つを含み、前記位相ロックループが、前記ジャンプ工程（２２）で異常領域に到達する前に得られるトラック横断信号を複製することを特徴とする請求項１から請求項３のうちの１つに記載の方法。
【請求項５】
前記異常領域の始まりにジャンプバックし（３０）；
前記異常領域に保存されたデータを読み取り（３０）；及び
前記異常領域の型を決定するために前記データを判定する（３１）という工程をさらに含むことを特徴とする請求項１から請求項３のうちの１つに記載の方法。
【請求項６】
前記異常領域の型を決定するために前記データを判定する工程（３１）が、
前記データに含まれる同期信号を判定する；及び
前記異常領域のデータ周波数を判定するうちの少なくとも１つを含むことを特徴とする請求項５に記載の方法。
【請求項７】
前記異常領域の長さを測定する工程（２４、３２）が、前記異常領域の誤同期の数を計算することを含むことを特徴とする請求項５又は請求項６に記載の方法。
【請求項８】
前記光学記録上の異常領域の位置、長さ及び／又は型を保存する工程をさらに含むことを特徴とする請求項１から請求項７のうちの１つに記載の方法。
【請求項９】
前記異常領域の型が溝領域、鏡面領域、きず領域、誤ビットレート領域及び誤構造領域のうちの少なくとも１つを含むことを特徴とする請求項１から請求項８のうちのいずれかに記載の方法。
【請求項１０】
請求項１から請求項９のうちの１つによる方法を実行することを特徴とする光学記録媒体上の異常領域を解析する装置。
【請求項１１】
光学記録媒体上の異常領域を解析するために請求項１から請求項９のうちの１つによる方法を実行する又は請求項１０に記載の装置を含むことを特徴とする光学記録媒体から読み取る及び／又はそこに書き込むための装置。
【発明の詳細な説明】
【技術分野】
【０００１】
本発明は、一般には光学記録媒体を再生又は記録するための方法に関する。さらに具体的には、本発明は光学記録媒体上の異常領域を解析する方法、及びこうした方法を使用して光学記録媒体から読み取る及び／又はそこに書き込むための装置に関する。
【背景技術】
【０００２】
今日では、光学記録媒体の複数のフォーマットを市場で見ることができる。これらのフォーマットは、例えば、ＣＤ（コンパクトディスク）、ＣＤ−Ｒ（Ｗ）（追記型／書き換え型コンパクトディスク）、ＤＶＤ−ＲＯＭ（読み出し専用デジタル多用途ディスク）、ＤＶＤ−Ｒ（Ｗ）（デジタル多用途ディスク−追記型／書き換え型）、ＤＶＤ＋Ｒ（Ｗ）（デジタル多用途ディスク＋追記型／書き換え型）、又はＢＤ（ブルーレイディスク）を含む。これらの一般に利用できるフォーマットに加え、多くの独自仕様のフォーマットが存在し、それらはゲームディスク又は専門アプリケーションに使用される。
【０００３】
これらの光学記録媒体の製造の間に、異常領域が光学記録媒体上に発生する。こうした異常な光学記録媒体は、通常品質管理を通過しないが、これらの媒体が市場に入ることはとにかく排除できない。さらに、未使用の記録用高密度光学記録媒体は、しばしば記録領域全体にわたり必要な規格を遂行するわけではない。従って、これらの媒体は、記録できない又は再生できない領域を含む。最後に、ユーザーは記録媒体を取り扱うときにスクラッチ又は同様のものを引き起こす間違いを犯すことがあり、又は未使用の光学記録媒体にデータを記録するときに間違いを犯すことがある。例えば、ユーザーはＤＶＤにＣＤフォーマットでデータを記録する、又は記録のために間違ったビットレートを使用する。これにより、光学記録媒体から読み取る及び／又はそこに書き込むための装置により再生できない光学記録媒体上の領域がもたらされる。
【０００４】
領域が配置される光学記録媒体の標準規格に合致しない以下のすべての領域において、必ずしもそれらが全く再生できないという意味で異常ではないけれども、それらは「異常領域」と呼ばれる。異常領域の例が図１に示されている。光学記録媒体１は複数のトラックを含み、そこにデータがピット２の形状で保存される。２つのデータ領域ＡとＣの間に異常領域Ｂ、例えば鏡面領域が配置される。光学記録媒体から読み取る及び／又はそこに書き込むための装置が、特定の光学記録媒体上でこうした領域に出合った場合、記録媒体の再生又は記録を中止する可能性が高い。
【発明の開示】
【発明が解決しようとする課題】
【０００５】
本発明の目的は、上述した課題を克服する光学記録媒体の再生又は記録方法を提案することである。
【課題を解決するための手段】
【０００６】
本目的は、
異常領域を検出し；
異常領域の型を決定し；及び
異常領域の長さを測定するという工程を含む、光学記録媒体上の異常領域を解析する方法により達成される。光学記録媒体から読み取る及び／又はそこに書き込むための装置に挿入された光学記録媒体の再生又は記録前に、その装置が光学記録媒体上の異常領域の位置、長さ及び型を決定する。その後得られた情報は、例えば、再生又は記録の間に、読み取り及び／又は記録のためのピックアップが不意に異常領域に出合ったことを回避するために使用される。これにより、装置の動作がさらに信頼性のあるものとなる。ここで異常領域の長さとは、トラックに対して基本的に垂直な領域の半径方向の伸長として理解されたい。もちろん、領域の長さは円周方向の伸長として、つまりトラック方向に画定される。これにより、異常領域の開始位置及び終了位置のさらに正確な決定がもたらされる。
【０００７】
好ましくは、異常領域の型を決定する工程は、
異常領域全体にわたり速度制御されたジャンプを行い；
速度制御されたジャンプの間に異常領域の型に関する情報を得；及び
得られた情報に基づいて異常領域の第１のグループの型と第２のグループの型間を区別するという工程を含む。異常領域の場所が決定されると、この領域の型を決定するピックアップユニットにより速度制御されたジャンプが異常領域全体にわたり行われる。最初に、異常領域は判定が第２のグループの型の判定と比較して短時間しかかからない第１のグループの型に属すると推測される。異常領域が第１のグループの型の１つに属する場合、対応する検出器信号が発信され、それが直接領域の型を決定することを可能にする。検出器信号が発信されない場合、その異常領域は第２のグループの型に属するという結論が出される。異常領域の型は、第１のグループの型に属する溝領域、鏡面領域、及びきず領域、及び第２のグループの型に属する誤ビットレート領域及び誤構造領域のうちの少なくとも１つを含む。
【０００８】
好ましくは、速度制御されたジャンプの間に異常領域の型に関する情報を得る工程は、光学記録媒体から得られるデータ信号及び／又はトラック横断信号を判定することを含む。例えば、ジャンプの間に得られるデータ信号ＨＦは、ボトム−トップ検出器を使用して解析される。ＨＦパターンは、異常領域を横断するときにいくつかの領域の型に対して変化し、一方で他の領域の型に対しては、ＨＦパターンは記録媒体の通常のＨＦパターンにむしろ似ている。従って、ボトム−トップ検出器を使用してＨＦ信号を調べることにより、領域の型が決定される。さらに、信号変化は、領域の長さに対する信頼できる指標である。また、トラック横断信号の消滅も、異常領域の型に対する指標である。
【０００９】
異常領域の長さの測定は、好ましくは異常領域全体をジャンプするのに必要な時間を測定すること、又は異常領域全体をジャンプする間の位相ロックループにより発せられるパルスの数を計算することにより行われ、位相ロックループは、ジャンピング工程で異常領域に到達する前に得られるトラック横断信号を複製する。異常領域全体のジャンプは速度制御されているので、ジャンプに必要な時間の測定により、領域の長さの計算が可能となる。代替案として、トラック横断の数が計算される。しかし、異常領域を横断する間、トラック横断信号は利用できない。従って、トラック横断信号は実際上のトラック横断を表すＰＬＬの出力パルスに置き換えられる。これらのパルスは全領域にわたり計算されるので、領域の長さが計算できる。
【００１０】
好ましくは、本方法は
異常領域の始まりにジャンプバックし；
異常領域に保存されたデータを読み取り；及び
異常領域の型を決定するためのデータを判定するという工程をさらに含む。上述のように、速度制御されたジャンプの間に検出器信号が発信されない場合、異常領域は第２のグループの型に属すると結論付けられる。グループの型から領域の特定の型を決定するためには、通過トラックを模倣する領域を単純に横断することでは、この場合には十分ではない。その代わり、その領域に保存されるデータも解析される必要がある。これらのデータは、好ましくはデータに含まれる同期信号を判定することにより、又は異常領域のデータ周波数を判定することにより判定される。同期信号は、各データパケットの一部であり及び同期検出器により検出される。異なる同期間を区別するために、複数の同期検出器又は様々な同期検出器が好ましくは実行される。データ周波数における変化は、データが異常領域に保存され及び異なるビットレートで保存されることを示している。
【００１１】
好ましくは、異常領域の長さを測定する工程は、異常領域の誤同期の数を計算することを含む。カウンタは、第１の誤同期信号が検出されるとすぐに開始される。そのカウンタは、誤同期信号が存在しなくなるとすぐにやめる。誤同期の数により、誤構造領域の長さを計算することが可能となる。
【００１２】
本発明の１つの側面によると、異常領域の位置、長さ及び／又は型は光学記録媒体上に保存される。これは、光学記録媒体が光学記録媒体から読み取る及び／又はそこに書き込むための装置に挿入される場合、これらの領域が再び解析される必要がないという利点を有する。もちろん、再び領域を解析することにより保存された情報が正しいかどうかを調べることは十分に可能である。
【００１３】
好ましくは、光学記録媒体から読み取る及び／又はそこに書き込むための装置は、光学記録媒体上の異常領域を解析するために本発明による方法を実行する又は本発明による方法を実行する装置を含む。
【００１４】
本発明のよりよい理解のために、例示的な実施形態が図面を参照し以下の記述で明確にされている。本発明はこの例示的な実施形態に限定されず、及び具体的な特徴は、本発明の範囲から逸脱することなく便宜上組み合わされる及び／又は改良されることを理解されたい。
【発明を実施するための最良の形態】
【００１５】
基本的に５つの型の異常領域が存在する。それぞれがそのサイズ及び型を決定するためには独自の方法を必要とする。
【００１６】
１．溝領域（異常領域は溝である）
２．鏡面領域（異常領域は鏡面である）
３．きず領域（異常領域はきず、例えば黒色点トラックである）
４．誤ビットレート領域（異常領域のビットレートは、規定のビットレートとは異なる）
５．誤構造領域（異常領域ではデータが誤構造に保存される、例えば、パケットアセンブリ、同期信号及びその種のようなものに関するＣＤのような情報がＤＶＤに保存される）
【００１７】
領域の型は、４象限光検出ユニットにより生成されるデータ信号ＨＦを解析することにより又は同期信号を用いて識別される。領域の長さを計算するためには、異なる技術が使用される。領域の型に左右されて、測定は位相ロックループ（ＰＬＬ）を使用して、同期信号を調査して、又はタイム・ユニットを測定して行われる。もちろん、別の方法もまた使用できる。得られた情報は、その装置の記録媒体ドライブの更なる情報処理のために使用される又はその装置のホストに直接渡される。
【００１８】
図２では、光学記録媒体から得られたデータ信号ＨＦの動きが、異常領域の型１から型５に対して示されている。領域の型１から型３に対するＨＦパターンは、異常領域を横断するときに変化することが見てとれる。従って、ボトム−トップ検出器を使用してＨＦ信号を調べることにより、領域の型が決定できる。さらに、信号変化は領域の長さに対する信頼できる指標である。しかし型４及び型５の異常領域に対しては、ＨＦパターンはむしろ記録媒体の通常のＨＦパターンに似ている。従って、その領域の型及びサイズを決定するためには、異なる技術が使用される。
【００１９】
図３では、光学記録媒体上の異常領域の型及び長さを決定するための方法が示されている。光学記録媒体を光学記録媒体から読み取る及び／又はそこに書き込むための装置に挿入された後に光学記録媒体の型に関する情報を得るため及びその他の関連するデータを得るために、光学記録媒体が解析２０される。これは、例えば目次（ＴＯＣ）を読み取ることにより行われる。次の段階では、異常領域の場所が、例えばピックアップユニットを用いて光学記録媒体を素早く走査することにより、又は他の適切な手段により決定される。光学記録媒体上の既知の異常領域の場所を保存することも同様に可能である。この場合の解析工程２０では、光学記録媒体は保存された異常領域の場所を読み取ることを含む。好ましくは、既知の異常領域もまた、それらの型及び場所と長さが再び調べられる。
【００２０】
一旦異常領域の場所が決定されると、この領域の型及び長さを決定するピックアップユニットにより、速度制御されたジャンプ２２がトラックに対して基本的に垂直である第１の異常領域全体にわたり行われる。最初に異常領域はきず領域、鏡面領域又は溝領域であると推測される、というのは、これらの型の領域の判定は、誤構造領域又は誤ビットレート領域の判定と比較して短時間しかかからないからである。異常領域がその３つの型のうちの１つに属する場合、対応する検出器信号が発信される。この目的のために、データ信号ＨＦは、例えばボトム−トップ検出器を使用して解析される。領域の型の決定２３後、長さが計算２４される。この計算の詳細な記述は図４及び図５に関連して以下に与えられる。得られた領域の型及び長さは装置のホストに送られ２５、及びその方法は次の領域に続く２６。
【００２１】
検出器信号が得られない場合、つまり、異常領域が溝領域でも、鏡面領域でも、きず領域でもない場合、誤構造領域又は誤ビットレート領域が存在することが推測される。その領域の型も長さも、きず領域、鏡面領域又は溝領域に適用された方法では決定できないので、異なるやり方が使用される。ピックアップユニットが、その領域の開始アドレスにジャンプバック３０し、及び全領域を読み取る。その後データパケットに配置された同期信号から得られる情報が解釈され及び領域の型の決定３１を可能とする。さらに、同期信号により領域の長さの計算３２も可能となる。この計算の詳細な記述は、図６に関連して以下に与えられる。またこの場合得られた領域の型及び長さは装置のホストに送られ３３、及び方法は次の領域へと続く３４。
【００２２】
異なる型のきずに出合ったため又は異常であると推定される領域が異常ではない、つまり記録媒体に保存された情報が間違っていたために、領域の型が決定できない場合３１、対応するエラーメッセージがさらなる処理のためにホストに送られる３５。
【００２３】
きず領域、鏡面領域又は溝領域の場合に異常領域の長さを決定するための異なる方法が図４に表されている。その方法は、一定のトラック横断速度及び一定のトラックピッチに際して異常領域の長さがトラックピッチに比例するという原則に基づいている。
Ｓ２＝ｎ・Ｓ１      ｎ∈Ｎ      （１）
ここで、Ｓ１＝トラックピッチ（ｍ）＝定数
Ｓ２＝領域の長さ
である。
【００２４】
好ましくは領域の長さはさらなる情報処理に使用されるので、メートルで又はユニットを用いて「トラック横断に相当する数」で決定される。
Ｓ２＝Ｔ２／Ｔ１＝Ｔ２・ｖ／Ｓ１      （２）
ここで、Ｓ２＝領域の長さ〔トラック横断相当数〕
Ｔ２＝領域横断の時間周期
Ｔ１＝単一のトラック横断の時間周期
ｖ＝速度〔ｍ／ｓ〕＝定数
である。
【００２５】
以上のように、方程式を解くためには、領域横断に必要な時間Ｔ２が決定されねばならない。本目的に対する第１の方法、つまり時間測定方法が、図４ａ）に示されている。異常領域の検出２４０の後、ピックアップが異常領域直前の開始位置Ｐ０にジャンプ２４１する。その後、速度制御されたジャンプが開始される２４２。Ｐ０と領域の始まりとの間の距離は、速度制御されたピックアップジャンプを等速ｖに安定させることが可能なくらい十分に長く選択される。従って、そのジャンプは整定時間、一連のトラック横断及び異常領域全体に及ぶ。鏡面、溝及びきずに対する３つの検出器は、領域の型を決定するために実行される。上記方程式（２）を解くためには、２つの要素、つまり単一トラック横断の時間周期Ｔ１及び領域横断の時間周期Ｔ２が測定されることが必要である。
【００２６】
Ｔ１及びＴ２を決定するために使用される信号が図５に示されている。信号Ａはデータ信号ＨＦであり、信号Ｂはトラック横断信号ＴＣであり、信号Ｃはデジタル化されたトラック横断信号であり、信号Ｄは検出器出力信号であり、信号Ｅはトラック横断ＰＬＬの出力であり、及び信号Ｆはカウンタに対する入力信号である。Ｔ１及びＴ２はデジタル化されたトラック横断信号Ｃ及び検出器出力信号Ｄを使用して得られる。異常領域の直前で、安定したジャンプ速度が達成されるとき、単一トラック横断の時間周期Ｔ１がカウンタを使用して決定２４３される。一旦異常領域にポイントＰ１で到達すると、トラック横断信号Ｂはもはや利用できない。その代わり、検出器信号Ｄが溝領域、鏡面領域又はきず領域を示して発信される。検出器信号Ｄは更なるカウンタを開始し、そのカウンタは検出器出力信号Ｄが異常領域の終わりＰ２で低くなるまで計算を続け、及び時間Ｔ２を測定２４４する。時間周期Ｔ１及びＴ２の両方ともが決定されたとき、トラック横断相当数での異常領域の長さが方程式（２）から得られる２４５。
【００２７】
代替的な方法として、位相ロックループ（ＰＬＬ）方法が図４ｂ）に示されている。時間測定方法と同様、ＰＬＬ方法もまた単一トラック横断の時間周期Ｔ１を測定するために速度制御されたピックアップジャンプを使用する。異常領域の検出３２０の後、ピックアップが異常領域直前の開始位置Ｐ０へジャンプ３２１する。その後速度制御されたジャンプが開始される３２２。しかし、異常領域を横断する間に時間周期Ｔ２を測定する代わりに、ＰＬＬは異常領域の始まりに到達する前にトラック横断信号Ｂ又はデジタル化されたトラック横断信号Ｃ上に固定される。ＰＬＬは、トラック横断信号Ｅを運ぶ。再び３つの検出器が領域の型を示すために実行される。溝検出器、鏡面検出器又はきず検出器が、異常領域の始まりを信号で伝える。異常領域を横断するとき、トラック横断信号Ｂは利用できない。従って、トラック横断信号は、架空のトラック横断を表す連続するＰＬＬ出力パルスＥに置き換えられる。ＰＬＬ出力パルスＥは、カウンタに対する入力信号Ｆとして使用され、そのカウンタはゼロへのリセット３２３の後、領域を横断する間にＰＬＬ周期数を合計する３２４。異常領域の横断後、ＰＬＬは再びトラック横断信号Ｂに固定される。異常領域の横断の間に計算されたＰＬＬ周期数は、実質上のトラック横断数に相当し、それにより領域の長さを計算すること３２５が可能となる。
【００２８】
図６では、上記のトラック横断ＰＬＬを実現するのに必要なハードウェアの実施及び信号成分が概略的に表されている。関連する波形が図５に示されている。アナログトラック横断信号Ｂは、スライサ３によりデジタル波形Ｃに変換され及び位相比較器４の第１の入力（入力１）に入力される。スイッチ５、ループフィルタ６及び電圧制御発振器（ＶＣＯ）７が位相ロックループ（ＰＬＬ）の機能を完成させる。ＶＣＯの出力と位相比較器４の第２の入力（入力２）との結合によりＰＬＬループが閉じる。トラック横断信号Ｂが利用できる場合（Ｐ０からＰ１）、スイッチ５は閉じられ及びＶＣＯ７の出力信号は、入力信号（例えば信号Ｂ及びＣ）と同期するように制御される。黒色点又は鏡面区域が検出されるとき、検出器信号Ｄが変化し及びスイッチ５を開く。従って、ループフィルタ６の出力が最終電圧を保持し及びＶＣＯ７に瞬間的な周波数の維持を強要する。その区域（Ｐ１からＰ２）の全持続時間にわたり、不足しているパルスがＰＬＬにより置き換えられる。ＡＮＤゲート８を使用して、置換されたパルスがカウンタ９に導かれ、カウンタはポイントＰ１で計算を開始し及びポイントＰ２で計算をやめる。終わりでは、カウンタ９の中身は異常区域の長さを表している。マイクロ・コントローラ１０は、Ｐ１でカウンタ９をリセットし、Ｐ２で又はＰ２後に中身を読み取り及び更なる処理のためにこの情報を提供する。
【００２９】
前述のように、異常領域の長さを決定する上記方法は誤構造の異常領域及び誤ビットレートの異常領域には当てはまらない。従って、誤構造領域又は誤ビットレート領域が判定される必要があるとき、ピックアップは通過するトラックをシミュレートする領域を単純に横断するだけではなく、データ転送を同期するのに使用される同期信号に特別の注意を払うデータも読み取る。これらの同期信号は、各データパケットの一部であり、及び同期検出器により検出される。異なる同期間を区別するために、複数の同期検出器又は様々な同期検出器が好ましくは実行される。
【００３０】
誤ビットレート領域及び誤構造領域におけるＰＬＬ信号及び同期信号の動きが図７に示されている。その図面により、両方の型の異常領域の信号判定処理を説明することが可能である。信号Ａはデータ信号ＨＦを示し、信号ＢはビットクロックＰＬＬのＰＬＬ信号、つまり、ＨＦ信号からビットクロックを生成するＰＬＬのＰＬＬ信号であり、信号Ｃは誤構造領域で出合った構造の型に対する同期信号であり、及び信号Ｄは正しい構造であると推測して再生される同期信号である。誤構造領域の場合、誤構造に対する同期検出器は誤同期を検出する。カウンタは、第１の誤同期信号が検出されるとすぐに開始される。そのカウンタは、誤同期信号が見当たらなくなるとすぐに止まる。誤同期の数により、誤構造領域の長さを計算することが可能となる。
【００３１】
誤ビットレート特別領域は、記録媒体上の通常データ構造と同様のＨＦパターンを生成する。同期信号もまた互換である。従って、データ周波数が調べられる。きず領域、鏡面領域及び溝領域に対する領域長さ計算に適用されるＰＬＬを判定することにより、ＰＬＬの周波数ジャンプが、信号Ｄに示されるように、誤ビット領域に入る及びそこから離れる際に気づかれる。ビットレートは誤ビットレート領域内で変化するので、データパケット伝送速度もまた変化する。従って、データパケットに配置される異なる数の同期信号が正しいビットレート動作と比較されて伝送される。正しい同期信号は、完全な異常領域チェック工程の間に観察される。正しい同期信号が見当たらなくなるとすぐに、つまり、異常領域に出合うとすぐに、カウンタは同期の数を計算し始め、続いて同期が失われる。さらに、ＰＬＬは周波数ジャンプに対して調べられる。異常領域の最後で抜かされた同期の数は既知であるので、領域の長さを計算することができる。
【図面の簡単な説明】
【００３２】
【図１】光学記録媒体上の異常領域を示している。
【図２】異なる型の異常領域に対するデータ信号の動きを表している。
【図３】光学記録媒体上の異常領域の型と長さを決定する方法を示している。
【図４】異常領域の長さを測定するための異なる方法を表している。
【図５】鏡面領域を横断するときの異なる信号の特徴を示している。
【図６】トラック横断ＰＬＬを概略的に表している。
【図７】誤ビットレート領域又は誤構造領域を横断するときの異なる信号の特徴を示している。
【符号の説明】
【００３３】
１  光学記録媒体
２  ピット
３  スライサ
４  位相比較器
５  スイッチ
６  ループフィルタ
７  電圧制御発振器
８  ＡＮＤゲート
９  カウンタ
１０  マイクロ・コントローラ
２０  解析工程
２１  異常領域の決定
２２  速度制御されたジャンプ
２３  領域の型の決定
２４  領域の長さの計算
２５  領域の型と長さをホストに送信
２６  次の領域に続く
３０  ジャンプバック
３１  領域の型を決定
３２  領域の長さの計算
３３  領域の型と長さをホストに送信
３４  次の領域に続く
３５  エラーメッセージをホストに送る
２４０  異常領域の検出
２４１  開始位置Ｐ０へのジャンプ
２４２  速度制御されたピックアップジャンプの開始
２４３  安定した速度の後のＴ１測定
２４４  Ｔ２の測定
２４５  領域の長さを得る
３２０  異常領域の検出
３２１  開始位置へのジャンプ
３２２  速度制御されたピックアップジャンプの開始
３２３  カウンタのゼロへのリセット
３２４  ＰＬＬ周期数を合計
３２５  領域の長さの計算
【図１】
2007518207.tif 000003
【図２】
2007518207.tif 000004
【図３】
2007518207.tif 000005
【図４】
2007518207.tif 000006
【図５】
2007518207.tif 000007
【図６】
2007518207.tif 000008
【図７】
2007518207.tif 000009
【手続補正書】
【提出日】平成18年9月5日(2006.9.5)
【手続補正１】
【補正対象書類名】特許請求の範囲
【補正対象項目名】全文
【補正方法】変更
【補正の内容】
【特許請求の範囲】
【請求項１】
異常領域を検出し（２１）；
前記異常領域の型を決定し（２３、３１）；及び
トラック方向に対して垂直な前記異常領域の半径方向の広がりを測定する（２４、３２）工程を含む方法において、
前記異常領域の型を決定する工程（２３、３１）が、
前記異常領域全体にわたり速度制御されたジャンプ（２２）を行うこと；
前記速度制御されたジャンプ（２２）の間に前記異常領域の型に関する情報を得ることを含むことを特徴とする光学記録媒体上の前記異常領域を解析する方法。
【請求項２】
前記異常領域の型を決定する工程（２３、３１）が、
得られた情報に基づき異常領域の第１のグループの型と第２のグループの型を区別すること（２３）をさらに含むことを特徴とする請求項１に記載の方法。
【請求項３】
前記速度制御されたジャンプ（２２）の間に異常領域の型に関する情報を得る工程が、前記光学記録媒体から得られるデータ信号（ＨＦ）及び／又はトラック横断信号（ＴＣ）を判定することを含むことを特徴とする請求項１に記載の方法。
【請求項４】
前記異常領域の半径方向の広がりを測定する工程（２４、３２）が、
前記異常領域全体をジャンプする（２２）のに必要な時間を測定する（２４４）；及び
前記異常領域全体にわたるジャンプ（２２）の間に、位相ロックループにより発せられるパルスの数を計算する（３２４）うちの１つを含み、前記位相ロックループが前記ジャンプ工程（２２）で前記異常領域に到達する前に得られるトラック横断信号を複製することを特徴とする請求項１から請求項３のうちの１つに記載の方法。
【請求項５】
前記異常領域の始まりにジャンプバックし（３０）；
前記異常領域に保存されたデータを読み取り（３０）；及び
前記異常領域の型を決定するために前記データを判定する（３１）という工程をさらに含むことを特徴とする請求項１から請求項３のうちの１つに記載の方法。
【請求項６】
前記異常領域の型を決定するために前記データを判定する工程（３１）が、
前記データに含まれる同期信号を判定する；及び
前記異常領域のデータ周波数を判定するうちの少なくとも１つを含むことを特徴とする請求項５に記載の方法。
【請求項７】
前記異常領域の半径方向の広がりを測定する工程（２４、３２）が、前記異常領域の誤同期の数を計算することを含むことを特徴とする請求項５又は請求項６に記載の方法。
【請求項８】
前記光学記録媒体上の異常領域の位置、半径方向の広がり及び／又は型を保存する工程をさらに含むことを特徴とする、請求項１から請求項７のうちの１つに記載の方法。
【請求項９】
前記異常領域の型が溝領域、鏡面領域、きず領域、誤ビットレート領域及び誤構造領域のうちの少なくとも１つを含むことを特徴とする請求項１から請求項８のうちのいずれかに記載の方法。
【請求項１０】
請求項１から請求項９のうちの１つに記載の方法を実行する手段を有することを特徴とする光学記録媒体上の異常領域を解析する装置。
【請求項１１】
光学記録媒体上の異常領域を解析するために請求項１から請求項９のうちの１つに記載の方法を実行する手段を有する又は請求項１０に記載の装置を含むことを特徴とする光学記録媒体から読み取る及び／又はそこに書き込むための装置。
【手続補正２】
【補正対象書類名】明細書
【補正対象項目名】０００６
【補正方法】変更
【補正の内容】
【０００６】
本目的は、
異常領域を検出し；
異常領域の型を決定し；及び
異常領域の長さを測定する工程を含み、
ここで前記異常領域の型を決定する工程が、
異常領域全体にわたり速度制御されたジャンプを行い；
速度制御されたジャンプの間に、異常領域の型に関する情報を得ることを含む光学記録媒体上の異常領域を解析する方法により達成される。光学記録媒体から読み取る及び／又はそこに書き込むための装置に挿入された光学記録媒体の再生又は記録前に、その装置は光学記録媒体上の異常領域の位置及び長さを決定する。異常領域の場所が決定されると、この領域の型を決定するピックアップユニットにより、速度制御されたジャンプが異常領域全体にわたり行われる。その後得られた情報は、例えば再生又は記録の間に読み取り及び／又は記録用ピックアップが不意に異常領域に出合ったことを回避するために使用される。これにより、装置の動作がさらに信頼性のあるものとなる。ここで異常領域の長さとは、トラックに対して基本的に垂直な領域の半径方向の広がりとして理解されたい。もちろん、領域の長さは円周方向の広がりとして、つまりトラック方向に画定される。これにより、異常領域の開始位置及び終了位置のさらに正確な決定がもたらされる。
【手続補正３】
【補正対象書類名】明細書
【補正対象項目名】０００７
【補正方法】変更
【補正の内容】
【０００７】
好ましくは、異常領域の型を決定する工程は、
得られた情報に基づき異常領域の第１のグループの型と第２のグループの型間を区別することを含む。最初に、異常領域は判定が第２のグループの型の判定と比較して短時間しかかからない第１のグループの型に属すると推測される。異常領域が第１のグループの型の１つに属する場合、対応する検出器信号が発信され、それにより直接領域の型を決定することが可能となる。検出器信号が発信されない場合、その異常領域は第２のグループの型に属するという結論が出される。異常領域の型は、第１のグループの型に属する溝領域、鏡面領域、及びきず領域、及び第２のグループの型に属する誤ビットレート領域及び誤構造領域のうちの少なくとも１つを含む。
【国際調査報告】
2007518207.tif 000010
2007518207.tif 000011
2007518207.tif 000012